(57)【特許請求の範囲】
【請求項１】
かみそり主刃（５）を上部に備えた本体ケース（１）と、
固定くし刃（１９）および可動くし刃（２０）を有するきわ剃りユニット（１２）と、
先端にくし状歯（２５）を有するコーム（１３）とからなり、
本体ケース（１）に対しきわ剃りユニット（１２）が、固定・可動くし刃（１９）・（２０）の刃先（１９ａ）・（２０ａ）をかみそり主刃（５）に近接させて該かみそり主刃（５）と共同使用を可能にする上向き姿勢と、刃先（１９ａ）・（２０ａ）をかみそり主刃（５）から離して単独使用を可能にする横倒し姿勢とにわたって、きわ剃りユニット支軸（２３）まわり回動自在に組み込まれており、
本体ケース（１）に対しコーム（１３）が、きわ剃りユニット（１２）が上向き姿勢のとき、くし状歯（２５）がきわ剃りユニット（１２）の刃先（１９ａ）・（２０ａ）に近接して該刃先（１９ａ）・（２０ａ）を覆うように、コーム支軸（２９）まわりに回動自在に組み込まれており、
コーム支軸（２９）は、きわ剃りユニット支軸（２３）よりも本体ケース（１）寄りに偏位するよう位置設定することにより、きわ剃りユニット（１２）に対しコーム（１３）は、きわ剃りユニット（１２）が横倒し姿勢のとき、くし状歯（２５）が刃先（１９ａ）・（２０ａ）から離れて該刃先（１９ａ）・（２０ａ）を露出させるように退入移動するようにしたことを特徴とする電気かみそり。
【発明の詳細な説明】
【０００１】
【発明の属する技術分野】
本発明はきわ剃り刃を備えた電気かみそりの改良に関する。
【０００２】
【従来の技術】
この種の電気かみそりとして、きわ剃り刃がきわ剃り単独使用以外に、かみそり主刃と共同してひげ剃りを可能にする仕様のものがある（例えば、実開昭５４−９８３８４号公報）。かみそり主刃と共同使用の場合は、きわ剃り刃先が本体ケースの上部のかみそり主刃と近接するようにきわ剃り刃全体を上向き姿勢にして、長毛やくせ毛を、先ずきわ剃り刃で短く切って、かみそり主刃に導入し易くし、続けてかみそり主刃で更に短く剃り上げる。きわ剃り単独使用の場合は、きわ剃り刃先がかみそり主刃から離れるようにきわ剃り刃全体を略水平の横倒し姿勢に切り換えて、専らきわ剃りに使用するというものである。
【０００３】
【発明が解決しようとする課題】
しかし、上記した電気かみそりでは、かみそり主刃と共同使用する上向き姿勢では、常にきわ剃り刃先がきわ剃り刃保持ケースの開口部から突出し放し状態にあるため、使用者に恐怖感や不安感を与え、また不測の落下によりきわ剃り刃先を破損しやすいという問題がある。
【０００４】
本発明の目的は、このような問題に鑑みてなされたもので、かみそり主刃と共同使用時にきわ剃り刃先で恐怖感や不安感を与えることがなくて安心して使用でき、またきわ剃り刃先の安全性、破損防止を図ることのできる電気かみそりを提供するにある。
【０００５】
【課題を解決するための手段】
本発明の電気かみそりは、図示例のようにかみそり主刃５を上部に備えた本体ケース１と、固定くし刃１９および可動くし刃２０を有するきわ剃りユニット１２と、先端にくし状歯２５を有するコーム１３とからなる。そして、本体ケース１に対しきわ剃りユニット１２が、固定・可動くし刃１９・２０の刃先１９ａ・２０ａをかみそり主刃５に近接させて該かみそり主刃５と共同使用を可能にする上向き姿勢と、刃先１９ａ・２０ａをかみそり主刃５から離して単独使用を可能にする横倒し姿勢とにわたって姿勢切り換え自在に備えられる。きわ剃りユニット１２に対しコーム１３は、きわ剃りユニット１２の姿勢切り換えに伴い、きわ剃りユニット１２の上向き姿勢でくし状歯２５がきわ剃りユニット１２の刃先１９ａ・２０ａに近接して該刃先１９ａ・２０ａを覆い、きわ剃りユニット１２の横倒し姿勢でくし状歯２５が刃先１９ａ・２０ａから離れて該刃先１９ａ・２０ａを露出させるように相対移動自在に備える。
【０００６】
【作用】
かみそり主刃５と共同使用を可能にするきわ剃りユニット１２の上向き姿勢では、コーム１３のくし状歯２５がきわ剃りユニット１２の刃先１９ａ・２０ａに近接して該刃先１９ａ・２０ａを覆うため、コーム１３による梳き機能により長毛やくせ毛を刃先１９ａ・２０ａに確実に導くことができ、またきわ剃りユニット１２の刃先１９ａ・２０ａが直接肌に触れたり、見えたりしないため使用者に恐怖感や不安感を与えることがなく、更に刃先１９ａ・２０ａを落下破損から防護できる。
きわ剃りユニット１２の単独使用を可能にする横倒し姿勢では、くし状歯２５が刃先１９ａ・２０ａから離れて該刃先１９ａ・２０ａを露出させるため、コーム１３に邪魔されることなくきわ剃りを可能にする。
コーム１３による刃先１９ａ・２０ａの覆い状態および露出状態の切り換えは、きわ剃りユニット１２の姿勢切り換えに伴いきわ剃りユニット１２とコーム１３を相対移動させることにより自動的に行える。
【０００７】
【発明の実施の形態】
（第１実施例）
図１ないし図８は本発明に係る電気かみそりの第１実施例を示す。図２および図３において、これの本体ケース１の上部に、網目状の外刃２とこれの内面に対し軸３まわりに摺接回転するロータリ式の内刃４からなるかみそり主刃５を、本体ケース１の縦軸線Ｐに対し所定角度αだけ前傾した状態に備える。ロータリ式の内刃４は、図８のように、本体ケース１に内蔵されたモータ６の軸上に固着した出力ギヤ７と多段ギヤからなる駆動伝達手段９を介して伝動連結されて軸３まわりに回転する。本体ケース１の前壁１ａにはメインスイッチ１０を備え、本体ケース１の後壁１ｂの上部には、図３および図４のように、きわ剃りケース１１を下段位置Ａ、中段位置Ｂ、上段位置Ｃの三段階に上下方向にスライド自在に装着する。
【０００８】
図４ないし図７において、きわ剃りケース１１の内部上方にはきわ剃りユニット１２、コーム１３、きわ剃りユニット回動操作用の第１操作アーム１４、およびコーム回動操作用の第２操作アーム１５などが組み込まれる。図６および図７において、きわ剃りユニット１２は、開口部１６を有するきわ剃り刃保持ケース１７内に固定くし刃１９とこれに摺動自在に重ね合わせた可動くし刃２０とを各刃先１９ａ・２０ａが開口部１６から突出するように収納してなる。きわ剃りユニット１２は、きわ剃り刃保持ケース１７から左右一対の軸受２１・２１を突設し、各軸受２１に設けた軸孔２２をきわ剃りケース１１の内面から突設した左右のきわ剃りユニット支軸２３に挿入する。これによってきわ剃りケース１１に対しきわ剃りユニット１２が、図７のようにきわ剃りケース１１内に固定・可動くし刃１９・２０の刃先１９ａ・２０ａが上向きに突出するよう格納される姿勢と、図１の（Ｂ）に示すごとくきわ剃りケース１１内から後方へ略水平になるよう傾倒して固定・可動くし刃１９・２０の刃先１９ａ・２０ａが横向きになる横倒し姿勢とにわたって、きわ剃りユニット支軸２３まわりに回動自在に組み込まれる。
【０００９】
一方、コーム１３は、図５および図７のように、矩形のコーム主板２４の先端にくし状歯２５を設け、コーム主板２４の左右両端から脚部２６を後方へ延設してなる。このコーム１３は、コーム主板２４がきわ剃りユニット１２の背面側を覆い、かつ左右の脚部２６がきわ剃りユニット１２の左右両側方に位置するようにきわ剃りケース１１内に配置されて、左右の各脚部２６に設けた軸孔２７をきわ剃りケース１１の内面から突設したコーム支軸２９に挿入する。これによって、きわ剃りケース１１に対しコーム１３が、きわ剃りユニット１２が上向き姿勢のときくし状歯２５が固定・可動くし刃１９・２０の刃先１９ａ・２０ａに近接して該刃先１９ａ・２０ａを覆うように、コーム支軸２９まわりに回動自在に組み込まれる。但し、図７のように、コーム支軸２９はきわ剃りユニット支軸２３の位置よりも本体ケース１寄りにθだけ偏位するように位置設定する。
【００１０】
きわ剃りユニット回動操作用の第１操作アーム１４は、図６および図７のように、左右横長のスライド板３０の左右両端にアーム部３１を起立状に設け、各アーム部３１の先端にピン３２を突設してなる。この第１操作アーム１４は、きわ剃りケース１１内のきわ剃りユニット１２より下方位置に上下スライド自在に組み込まれるとともに、きわ剃りユニット１２の支軸２３より偏した位置に設けたピン孔３３に左右のピン３２を挿入する。また、第１操作アーム１４はこれのスライド板３０の内面から左右一対のスライドピン３４を突設し、このスライドピン３４をきわ剃りケース１１に設けた縦長の第１ガイド孔３５に係入する。スライド板３０の下端から左右一対のばね受ピン３６を下向きに突設し、このばね受ピン３６ときわ剃りケース１１の内壁１１ａとの間に押上ばね３７を介在させる。これにより第１操作アーム１４は押上ばね３７により常に押上げ付勢され、第１ガイド孔３５の長さによって上下ストロークが規制される。スライドピン３４の先端は本体ケース１の後壁１ｂに縦長に設けた第２ガイド孔３９内に臨ませている。
【００１１】
コーム回動操作用の第２操作アーム１５は、図６および図７のように、第１操作アーム１４よりも横長のスライド板４０の左右両端にアーム部４１を起立状に設け、各アーム部４１の先端にピン４２を突設してなる。この第２操作アーム１５は、左右のピン４２をコーム支軸２９より偏した位置に設けたピン孔４３に挿入するとともに、スライド板４０を第１操作アーム１４のスライド板３０上に重合させてかしめピン４４で一体的に結合することにより、第１操作アーム１４と共にきわ剃りケース１１内を上下スライドするように組み込まれる。
【００１２】
前述したように、コーム支軸２９はきわ剃りユニット支軸２３よりも本体ケース１寄りにθだけ偏位するように位置設定してある。従って、図１の（Ａ）に示すごとくきわ剃りユニット１２およびコーム１３が上向き姿勢にある状態から、きわ剃りユニット１２およびコーム１３に対して相対的に第１・２操作アーム１４・１５を引き下げることで、図１の（Ｂ）に示すごとく、きわ剃りユニット１２およびコーム１３をこれらが後方へ横倒し姿勢になるまで略９０°だけ回動させると、回動支点が偏位している分だけ、きわ剃りユニット１２に対しコーム１３が固定くし刃１９の刃先１９ａを露出するよう退入移動する。
【００１３】
かかるきわ剃りユニット１２およびコーム１３の横倒し姿勢への切り換え動作は、きわ剃りケース１１を上方へスライド操作させることで第１・２操作アーム１４・１５を介して行えるようにしてある。すなわち、きわ剃りケース１１を図１の（Ａ）のように、きわ剃りユニット１２をかみそり主刃５と共同使用できる中段位置Ｂにまで押し上げると、第１操作アーム１４の内面から突設したスライドピン３４が本体ケース１側の第２ガイド孔３９内の上端に当接する。この状態から更にきわ剃りケース１１を、図１の（Ｂ）のように、第１ガイド孔３５内の下端がスライドピン３４に当接するまで上方へスライドさせると、きわ剃りケース１１内で第１・２操作アーム１４・１５は押上ばね３７を圧縮変形させながら静止状態になる一方、きわ剃りケース１１に対し各支軸２３・２９を介して一体的に枢支連結されているきわ剃りユニット１２およびコーム１３はきわ剃りケース１１ごと上方へ移動することになり、これに伴いきわ剃りユニット１２およびコーム１３は相対的に第１・２操作アーム１４・１５により、引き下げられた状態となり、きわ剃りユニット１２およびコーム１３が各支軸２３・２９まわりに横倒し姿勢に回動することになる。きわ剃りケース１１が図１の（Ｂ）に示す上段位置Ｃから図１の（Ａ）に示す中段位置Ｂにまで引き下げられるに伴いきわ剃りケース１１内で第１・２操作アーム１４・１５は押上ばね３７の復元作用により押し上げられ、きわ剃りユニット１２およびコーム１３が前記と反対方向に各支軸２３・２９まわりに回動して上向き姿勢に戻される。
【００１４】
きわ剃りケース１１の内部には、更に、本体ケース１内のモータ６の動力をきわ剃りユニット１２の可動くし刃２０に伝達するための振動板４５が組み込まれる。その振動板４５は、図６および図８のように、きわ剃りケース１１の内面から突設した左右のガイドピン４６に係入する長孔４７を有するとともに、可動くし刃２０の後端から突設した突起４９が係合する係合突起５０を有して、きわ剃りケース１１内に左右方向にスライド自在に組み込まれる。振動板４５から下方へ延設した突片５１の下端の内面に受動ピン５２を突設し、この受動ピン５２を本体ケース１の後壁１ｂに設けた開口５３より本体ケース１内へ突入させる。一方、本体ケース１の内部におけるモータ６の上方には該モータ５の軸上の出力ギヤ７の下方を囲む固定台５４を設置し、この固定台５４と出力ギヤ７との間に、モータ６の回転を水平揺動運動に変えるきわ剃り刃駆動体５５を備える。きわ剃り刃駆動体５５はモータ６の軸上の出力ギヤ７の下方に固着した偏心カム５６が嵌合する偏心カム孔５７を有し、この偏心カム孔５７より前方部位に固定台５４から突設したピン５８が嵌合するピン孔５９を設け、前記偏心カム孔５７より後方部位には縦長の溝６０を設けている。
【００１５】
従って、モータ６の回転に伴いきわ剃り刃駆動体５５は固定台５４上でピン５８を中心にして水平揺動し、その溝６０にきわ剃りケース１１側の振動板４５の受動ピン５２を係合させることにより振動板４５がきわ剃りケース１１内で左右方向に往復直線運動することになる。振動板４５の受動ピン５２は、きわ剃りケース１１が下段位置Ａに下降している不使用状態では、きわ剃り刃駆動体５５の溝６０に係合せず、きわ剃りケース１１が中段位置Ｂおよび上段位置Ｃに上昇したときに係合するように設定している。
【００１６】
次に、上記構成の一連動作について説明する。図７および図８のようにきわ剃りケース１１が下段位置Ａの不使用状態にあるときは、受動ピン５２はきわ剃り刃駆動体５５の下方位置に存して該きわ剃り刃駆動体５５の溝６０に係合しないので、本体ケース１の前面側のメインスイッチ１０をオンしてかみそり主刃５を駆動させても、きわ剃りユニット１２の可動くし刃２０は駆動するようなことはない。このきわ剃りユニット１２の不使用状態ではコーム１３の先端のくし状歯２５により固定・可動くし刃１９・２０の刃先１９ａ・２０ａの背面側が覆われているため、使用者に恐怖感や不安感を抱かせるようなことはなく、また不慮に落下させたときの破損から防護できる。
【００１７】
図１の（Ａ）のように、きわ剃りケース１１を、きわ剃りユニット１２の固定・可動くし刃１９・２０の刃先１９ａ・２０ａがかみそり主刃５の後方に近接する中段位置Ｂにまで押し上げると、受動ピン５２がきわ剃り刃駆動体５５の溝６０に係入するため、モータ６の駆動によりかみそり主刃５と共に可動くし刃２０を駆動させることができる。このとき、かみそり主刃５の外刃２ときわ剃りユニット１２を肌に当てて、きわ剃りユニット１２が先行するように本体ケース１全体を動かすことにより、長毛やくせ毛を、先ず固定・可動くし刃１９・２０で短く切ることができてかみそり主刃５の外刃２に導入し易くなり、続けてかみそり主刃５でより短く剃り上げることができる。その際、不使用状態の場合と同様に、固定くし刃１９の刃先１９ａの背面側がコーム１３の先端のくし状歯２５により覆われているため、可動くし刃２０の刃先２０ａが高速で駆動していても使用者はそれが隠されて見えることがなく、またコーム１３の先端のくし状歯２５が肌をガードして、直接刃先１９ａ・２０ａが肌に触れることがないため、両刃先１９ａ・２０ａを肌に突き当たるような恐怖感や不安感を抱かせるようなことがなく、安心して電気かみそりを肌上で前後・左右に動かすことができるとともに、長毛やくせ毛をくし状歯２５により固定・可動くし刃１９・２０の両刃先１９ａ・２０ａに確実に導入させることができる。
【００１８】
図１の（Ｂ）に示すように、きわ剃りケース１１を、更に本体ケース１の上方の上段位置Ｃにまで押し上げると、前述した中段位置Ｂで第１・２操作アーム１４・１５と一体のスライドピン３４が本体ケース１側の第２ガイド孔３９内の上端に当接しているため、第１・２操作アーム１４・１５はきわ剃りケース１１内で押上ばね３７を圧縮変形させながら静止状態になる一方、きわ剃りケース１１内に各支軸２３・２９を介して一体的に枢支連結されているきわ剃りユニット１２およびコーム１３はきわ剃りケース１ごと上方へ移動することになり、これに伴いきわ剃りユニット１２およびコーム１３がそれぞれ、きわ剃りユニット支軸２３およびコーム２９まわりに横倒し姿勢に回動する。その際、コーム支軸２９はきわ剃りユニット支軸２３よりも本体ケース１寄りにθだけ偏位するように位置設定してあるため、きわ剃りユニット１２に対しコーム１３が本体ケース１寄り方向へ退入移動してきわ剃りユニット１２の刃先１９ａ・２０ａを完全に露出させる。従って、コーム１３に邪魔されることなく、きわ剃りを行うことができる。また、きわ剃りケース１１がかみそり主刃５ときわ剃りユニット１２との間に高く立っているので、きわ剃り時に不用な髪毛が主刃側へ垂れて、誤ってかみそり主刃５で髪毛をカットしてしまうことを防止できるとともに、きわ剃り毛がかみそり主刃５にふりかかるのを防ぐことができる。
【００１９】
きわ剃りケース１１が図１の（Ｂ）に示す上段位置Ｃから下方へ引き下げられると、きわ剃りケース１１内で第１・２操作アーム１４・１５は押上ばね３７の復元作用により押し上げられ、きわ剃りユニット１２およびコーム１３が前記と反対方向に各支軸２３・２９まわりに回動して上向き姿勢に戻されるとともに、コーム１３のくし状歯２５がきわ剃りユニット１２の刃先１９ａ・２０ａに近接して該刃先１９ａ・２０ａを元通り覆う。
【００２０】
（第２実施例）
図９および図１０は本発明の第２実施例を示す。第１実施例では本体ケース１に対しきわ剃りケース１１を上下スライド自在に取り付け、このきわ剃りケース１１にきわ剃りユニット１２およびコーム１３を搭載してなるが、これに代えて、この第２実施例のように本体ケース１の後壁１ｂの上部定位置にきわ剃りユニット１２およびコーム１３を取り付けてきわ剃りケース１１を省略するものであってもよい。
【００２１】
すなわち、第２実施例では、後壁１ｂの上部定位置にきわ剃りユニット１２が、固定・可動くし刃１９・２０の両刃先１９ａ・２０ａをかみそり主刃５に近接させて共同使用を可能にする上向き姿勢と、両刃先１９ａ・２０ａをかみそり主刃５から離して単独使用を可能にする横向き（横倒し）姿勢とにわたってきわ剃りユニット支軸２３まわりに回動自在に取り付けられる。一方、コーム１３が、きわ剃りユニット１２の上向き姿勢で少なくとも両刃先１９ａ・２０ａの背面側を覆うようにコーム軸２９まわりに回動自在に取り付けられる。きわ剃りユニット１２にはこれの支軸２３より偏した位置にピン孔６１を設け、このピン孔６１にきわ剃りユニット回動操作用の操作杆６２の上端のピン６３を挿入し、図示省略するが、その操作杆６２の下端部は後壁１ｂの外部へ臨ませて上下方向に押し引き操作できるようにする。この場合、第１実施例の場合と同様に、コーム支軸２９はきわ剃りユニット支軸２３よりも本体ケース１寄りにθだけ偏位するように位置設定する。その他の構成、例えば可動くし刃２０の駆動系などは第１実施例の場合と同様である。
【００２２】
しかるときは、図９に実線で示すようにきわ剃りユニット１２およびコーム１３が上向き姿勢にある状態から操作杆６２を押し上げると、同図に二点鎖線で示すごとくきわ剃りユニット１２およびコーム１３が後方へ横倒し姿勢になるまで略９０°だけ回動する。こに伴いきわ剃りユニット１２に対しコーム１３が刃先１９ａ・２０ａを露出するよう退入移動する。きわ剃りユニット１２およびコーム１３の横倒し姿勢状態下で、操作杆６２を引き下げると、きわ剃りユニット１２およびコーム１３が元通り上向き姿勢に切り換えられる。なお、コーム軸２９上には、きわ剃りユニット１２に対しコーム１３を常に近接させる方向に回動付勢するためのねじりコイルばね６４（図１０参照）を装着しておくことが、コーム１３のぐらつきを防止するうえで好ましい。
【００２５】
勿論、本発明はロータリ式電気かみそりに限られず、往復動式や回転式の電気かみそりなどにも同様に適用できる。
【００２６】
【発明の効果】
本発明によれば、かみそり主刃５と共同使用を可能にするきわ剃りユニット１２の上向き姿勢では、コーム１３のくし状歯２５がきわ剃りユニット１２の刃先１９ａ・２０ａに近接して該刃先１９ａ・２０ａを覆っている。従って、かみそり主刃５と共同使用状態でコーム１３により長毛やくせ毛を刃先１９ａ・２０ａに導くことができるばかりか、使用者は恐怖感や不安感を抱くことなく、安心して使用することができる。また両刃先１９ａ・２０ａを落下破損から防護できる。きわ剃りユニット１２の単独使用を可能にする横倒し姿勢では、コーム１３から刃先１９ａ・２０ａを露出させるため、コーム１３に邪魔されることなく、きわ剃りすることができる。コーム１３による刃先１９ａ・２０ａの覆い状態および露出状態の切り換えは、きわ剃りユニット１２の姿勢切り換えに伴いきわ剃りユニット１２とコーム１３を相対移動させることで自動的に行えて使い勝手が頗る良い。
【図面の簡単な説明】
【図１】第１実施例の電気かみそり要部の縦断側面図を示し、（Ａ）はかみそり主刃ときわ剃りユニットの共同使用状態図、（Ｂ）はきわ剃りユニットの単独使用状態図である。
【図２】第１実施例の電気かみそり全体の背面図である。
【図３】第１実施例の電気かみそり全体の側面図である。
【図４】第１実施例の電気かみそり要部の斜視図である。
【図５】第１実施例の電気かみそりのきわ剃りユニット部分の正面図である。
【図６】第１実施例の電気かみそりのきわ剃りユニット部分の内部構造を示す正面図である。
【図７】第１実施例の電気かみそり要部の縦断側面図である。
【図８】第１実施例の電気かみそり要部を駆動機構との関係で示す縦断側面図である。
【図９】第２実施例の電気かみそりのきわ剃りユニット部分の縦断側面図である。
【図１０】第２実施例の電気かみそりのきわ剃りユニットの分解斜視図である。
【符号の説明】
１  本体ケース
５  かみそり主刃
１１  きわ剃りケース
１２  きわ剃りユニット
１３  コーム
１９  固定くし刃
２０  可動くし刃
２５  くし状歯
【図１】
0003706977.tif 000002
【図２】
0003706977.tif 000003
【図３】
0003706977.tif 000004
【図４】
0003706977.tif 000005
【図５】
0003706977.tif 000006
【図６】
0003706977.tif 000007
【図７】
0003706977.tif 000008
【図８】
0003706977.tif 000009
【図９】
0003706977.tif 000010
【図１０】
0003706977.tif 000011